(57)【要約】      （修正有）【課題】軽量で且つ住宅環境を選ばずに搬送が行えるのは勿論、仏壇本来の荘厳さを保つと共に組立時の手間を飛躍的に効率化できる組立式の仏壇を提供する。【解決手段】天板３及び底板４、両側板５ａ，５ｂ、背板６によって、正面側が開口し且つ内部に仏具類８を収容するための空間を備えた箱形とし、さらに開口に開閉扉７を取り付けて本体１を形成し、両側板と背板と開閉扉７とは、各々が縦柱９ａ，９ｂ，９ｃ，９ｄを介して取付可能に形成してあり、各縦柱と両側板及び背板の各々の取付箇所は、一方の各部品の側部に、他方の各部品の側部に向かって突出する係止部材１７，１７を備えており、また他方の各部品の側部には、係止部材を嵌挿する凹部１９を設けており、さらに凹部内には、係止部材の爪１８，１８と係合する突起１６，１６を設けており、各縦柱及び両側板背板の各々の上側と下側は、天板３と底板４とに各々設けた窪みＳ，Ｒに嵌挿していることを特徴とする。【選択図】図２
0003104658.tif 000002
【実用新案登録請求の範囲】
【請求項１】
天板（３）及び底板（４）、両側板（５ａ，５ｂ）、背板（６）によって、正面側が開口し且つ内部に仏具類（８）を収容するための空間を備えた箱形とし、さらに前記開口に開閉扉（７）を取り付けて本体（１）を形成し、
前記両側板（５ａ，５ｂ）と背板（６）と開閉扉（７）とは、各々が縦柱（９ａ，９ｂ，９ｃ，９ｄ）を介して取付可能に形成してあり、
各縦柱（９ａ，９ｂ，９ｃ，９ｄ）と両側板（５ａ，５ｂ）、及び背板（６）の各々の取付箇所は、一方の各部品（５ａ，５ｂ，６）の側部に、他方の各部品（９ａ，９ｂ，９ｃ，９ｄ）の側部に向かって突出する係止部材（１７，１７）を備えており、
また他方の各部品（９ａ，９ｂ，９ｃ，９ｄ）の側部には、前記係止部材（１７，１７）を嵌挿する凹部（１９）を設けており、さらに凹部（１９）内には、前記係止部材（１７，１７）の爪（１８，１８）と係合する突起（１６，１６）を設けており、
各縦柱（９ａ，９ｂ，９ｃ，９ｄ）及び両側板（５ａ，５ｂ）、背板（６）の各々の上側と下側は、天板（３）と底板（４）とに各々設けた窪み（Ｓ，Ｒ）に嵌挿していることを特徴とする組立式の仏壇。
【請求項２】
前記本体（１）を載置するための台（２）を備え、
この台（２）は、本体（１）の載置板（１０）及び台座（１１）、両側板（１２ａ，１２ｂ）、背板（１３）によって、正面側が開口し且つ内部に仏具類（８）を収容するための空間を備えた箱形をなしており、さらに前記開口には引違戸（１４ａ，１４ｂ）を取り付けてあり、
前記両側板（１２ａ，１２ｂ）と背板（１３）とは、各々が縦柱（１５ａ，１５ｂ，１５ｃ，１５ｄ）を介して取付可能に形成してあり、
各縦柱（１５ａ，１５ｂ，１５ｃ，１５ｄ）と両側板（１２ａ，１２ｂ）、及び背板（１３）の各々の取付箇所は、一方の各部品（１２ａ，１２ｂ，１３）の側部に、他方の各部品（１５ａ，１５ｂ，１５ｃ，１５ｄ）の側部に向かって突出する係止部材（１７，１７）を備えており、
また他方の各部品（１５ａ，１５ｂ，１５ｃ，１５ｄ）の側部には、前記係止部材（１７，１７）を嵌挿する凹部（１９）を設けており、さらに凹部（１９）内には、前記係止部材（１７，１７）の爪（１８，１８）と係合する突起（１６，１６）を設けており
さらに載置板（１０）の下面及び台座（１１）の上面には、前記引違戸（１４ａ，１４ｂ）の上側と下側とをそれぞれ差し入れるためのレール溝（２０，２１）を有しており、
各縦柱（１５ａ，１５ｂ，１５ｃ，１５ｄ）及び両側板（１２ａ，１２ｂ）、背板（１３）の各々の上側と下側は、載置板（１０）と台座（１１）とに各々設けた窪み（Ｓ，Ｒ）に嵌挿していることを特徴とする請求項１記載の組立式の仏壇。
【請求項３】
前記本体（１）を載置するための台（２）を備え、
この台（２）は、本体（１）の載置板（１０）及び台座（１１）、両側板（１２ａ，１２ｂ）、背板（６）によって、正面側が開口し且つ内部に仏具類（８）を収容するための空間を備えた箱形をなしており、さらに前記開口には開閉扉（２２，２２）を取り付けてあり、
前記両側板（１２ａ，１２ｂ）と背板（１３）と開閉扉（２２，２２）とは、各々が縦柱（１５ａ，１５ｂ，１５ｃ，１５ｄ）を介して取付可能に形成してあり、
各縦柱（１５ａ，１５ｂ，１５ｃ，１５ｄ）と両側板（１２ａ，１２ｂ）、及び背板（１３）、及び開閉扉（２２，２２）の各々の取付箇所は、一方の各部品（１２ａ，１２ｂ、１３）の側部に、他方の各部品（１５ａ，１５ｂ，１５ｃ，１５ｄ）の側部に向かって突出する係止部材（１７，１７）を備えており、
また他方の各部品（１５ａ，１５ｂ，１５ｃ，１５ｄ）の側部には、前記係止部材（１７，１７）を嵌挿する凹部（１９）を設けており、さらに凹部（１９）内には、前記係止部材（１７，１７）の爪（１８，１８）と係合する突起（１６，１６）を設けており
各縦柱（１５ａ，１５ｂ，１５ｃ，１５ｄ）及び両側板（１２ａ，１２ｂ）、背板（１３）の各々の上側と下側は、載置板（１０）と台座（１１）とに各々設けた窪み（Ｓ，Ｒ）に嵌挿していることを特徴とする請求項１記載の組立式の仏壇。
【考案の詳細な説明】
【技術分野】
【０００１】
本考案は、組み立ての可能な仏壇に関するものである。
【背景技術】
【０００２】
仏壇は一般に、その内部に仏具類を収容する空間を備えた箱形の本体と、この本体を載せる台等から構成されており、その性質上、ゆとりをもって大柄に形成された本体には、仏間に適した重厚感を醸し出す装飾が随所に鏤められている。しかしながら近年は、集合住宅などの比較的間口の狭い建物が急増しており、このような住宅事情の変化に伴い、搬送時には各部品をバラした状態で梱包し、コンパクトに建物内に運び込める組立式の仏壇が登場している。
【特許文献１】実開平５−２０６８０号公報
【考案の開示】
【考案が解決しようとする課題】
【０００３】
しかしながら前述の組立式の仏壇の多くが、本体や台を構成する両側板や背板同士を直接取り付けるような構造であったため、その組立時、取り付けた各部品同士がグラグラと不安定に回動し、天板や底板にうまく取り付けることができず、非常に手間取らせるものであった。さらに各部品同士を直接取り付ける形態であったから、当該各部品間の取付箇所が露出し、本来、外観の体裁が重視されるべき仏壇の荘厳さが損なわれる欠点もあった。
【０００４】
本考案は、上記課題を鑑みて考案されたものであり、軽量で且つ住宅環境を選ばずに搬送が行えるのは勿論、仏壇本来の荘厳さを保つと共に組立時の手間を飛躍的に効率化できる組立式の仏壇を提供することにある。
【課題を解決するための手段】
【０００５】
本考案のうち請求項１記載の考案は、天板及び底板、両側板、背板によって、正面側が開口し且つ内部に仏具類を収容するための空間を備えた箱形とし、さらに前記開口に開閉扉を取り付けて本体を形成し、前記両側板と背板と開閉扉とは、各々が縦柱を介して取付可能に形成してあり、各縦柱と両側板、及び背板の各々の取付箇所は、一方の各部品の側部に、他方の各部品の側部に向かって突出する係止部材を備えており、また他方の各部品の側部には、前記係止部材を嵌挿する凹部を設けており、さらに凹部内には、前記係止部材の爪と係合する突起を設けており、各縦柱及び両側板、背板の各々の上側と下側は、天板と底板とに各々設けた窪みに嵌挿していることを特徴とする。
【０００６】
また本考案のうち請求項２記載の考案のように、前記本体を載置するための台を備え、この台は、本体の載置板及び台座、両側板、背板によって、正面側が開口し且つ内部に仏具類を収容するための空間を備えた箱形をなしており、さらに前記開口には引違戸を取り付けてあり、前記両側板と背板とは、各々が縦柱を介して取付可能に形成してあり、各縦柱と両側板、及び背板の各々の取付箇所は、一方の各部品の側部に、他方の各部品の側部に向かって突出する係止部材を備えており、また他方の各部品の側部には、前記係止部材を嵌挿する凹部を設けており、さらに凹部内には、前記係止部材の爪と係合する突起を設けており、さらに載置板の下面及び台座の上面には、前記引違戸の上側と下側とをそれぞれ差し入れるためのレール溝を有しており、各縦柱及び両側板、背板の各々の上側と下側は、載置板と台座とに各々設けた窪みに嵌挿していることを特徴とする。さらに請求項３記載の考案では、台の正面側の開口において開閉扉を取り付けたものである。
【０００７】
ここで部品とは、本仏壇を構成する天板及び底板、本体の載置板及び台座、両側板、背板、各縦柱を総称する言葉として使用している。また本仏壇の素材については特に限定しないが、木材と比較して軽量で且つ丈夫なアルミニウム合金を適用することが望ましい。また開閉扉とは例えば折戸や観音扉など、仏壇の開口において蝶番や軸棒を介して開け閉めを行うすべての手段を意味している。また係止部材とは、実際の作用部位となる爪の部分が後述する凹部内の突起に対して係合可能なものであれば、その形態を特定するものではなく、例えばフック状、或いは、先端が膨らんだ膨大状のようなものを適用してもよい。また凹部は、前記係止部材の嵌挿が可能な形状をなすものであればよく、例えば縦溝や窪み等が挙げられる。さらに係止部材及び凹部は、それぞれが係合可能な組み合わせとなるように各々の部品に設けてあればよいから、例えば、各縦柱の側部に係止部材又は凹部のいずれを設けてもよい、またレール溝は、台の正面側の開口において引違戸をスムーズに開け閉めできる形態であればよく、具体的には、引違戸の戸首や戸車の走行が可能なものであればよい。
【０００８】
このようにした場合、本仏壇の組み立て時、両側板と背板と開閉扉とが、四角に配置された各縦柱を基準とし、各部品が四方を囲むように方形筒型に配置され、さらに、各々の部品の側部に設けた係止部材の爪と凹部内の突起との係合によって、各縦柱を介して両側板と背板と開閉扉（引違戸）とがそれぞれ取付可能となる。これにより、各縦柱を介して両側板と背板と開閉戸とが方形筒型にしっかりと保形され、さらに、前述のようにしっかりと保形された取り付け済みの各部品の下側を底板の窪みに落とし込むことで、当該各部品が底板にすっぽりと嵌挿されると共に、当該各部品の上側においては、天板を窪みに合わせて載せることで、こちらもスムーズに嵌挿される。
尚、台の場合には、天板を載置板に、底板を台座にそれぞれ置き換えることで、同様の手順で組み立てが行える。
【考案の効果】
【０００９】
本考案によれば、住宅環境を選ばずにコンパクトな状態で搬入でき、しかも組み立てが容易であり且つ軽量であると共に、各部品の取付箇所が目立たないことで仏壇本来の荘厳さを保つことができる。
【考案を実施するための最良の形態】
【００１０】
次に、本考案の仏壇の実施例を各図面に基づいて、以下に説明する。
【００１１】
本仏壇は図１に示すように、箱形をなす本体１を台２の上に載せて構成したものであり、まず前記本体１は図２のように、天板３と底板４、両側板５ａ，５ｂ、背板６、折戸７、仏具台８、とからなっており、さらに前記仏具台８を囲む状態で四角に配置した各縦柱９ａ，９ｂ，９ｃ，９ｄの側面に、両側板５ａ，５ｂ、背板６、折戸７の各側面を係合し、この四方を囲むように組まれた各部品５ａ，５ｂ，６，７，８，９ａ，９ｂ，９ｃ，９ｄの下側を、底板４上面に設けた上向きの嵌凹部Ｒに嵌挿すると共に、前記各部品５ａ，５ｂ，６，７，８，９ａ，９ｂ，９ｃ，９ｄのそれぞれの上側を、天板３下面に設けた下向きの嵌凹部Ｓ内に嵌挿し、本体１を組み立てたものである。
【００１２】
また両側板５ａ，５ｂと各縦柱９ａ、９ｂ、各縦柱９ａ、９ｂと背板６、各縦柱９ｃ，９ｄと開閉折戸７、以上の各部品５ａ，５ｂ，６，７，８，９ａ，９ｂ，９ｃ，９ｄ同士の取付箇所の構成について、さらに詳細に説明すると図３と図４のように、両側板５ａ，５ｂと背板６とを係合する縦柱９ａ，９ｂにおいては、この縦柱９ａ、９ｂの正面側と内側面の各側面に、該縦柱９ａ、９ｂの起立方向に沿って縦溝１９がそれぞれ設けてあり、さらに当該各縦溝１９，１９の出口側には、それぞれが内向きに突出した各突起１６，１６を設けている。また両側板５ａ，５ｂ及び背板６の両側面には、各板５ａ，５ｂ，６の厚みの方向に間隔をあけて２枚の係止片１７，１７を設けており、さらに各係止片１７，１７の先端には、それぞれが相反する方向に張り出した各爪１８，１８を備えている。そして両側板５ａ，５ｂ及び背板６に備えた各々の係止片１７，１７を縦柱９ａ、９ｂの各縦溝１９，１９にそれぞれ嵌挿した際、前記各係止片１７，１７が弾性的に内向きに変形しながら各突起１６，１６を経て縦溝１９内に突入し、さらに係止片１７，１７の爪１８，１８が前記縦溝１９内の各突起１６，１６に引っ掛かることで、各部品５ａ，５ｂ，６，７，８，９ｃ，９ｄの係合状態が保たれることになる。
【００１３】
さらに折戸７と縦柱９ｃ，９ｄについても、両側板５ａ，５ｂと背板６と縦柱９ａ，９ｂとの取付箇所と同様の構成をなすが、本実施形態では、折戸７と縦柱９ｃ，９ｄとは予め１ユニットとして形成してあり、前記縦柱９ｃ，９ｄの背面側にのみ縦溝１９が設けてあることで、この縦溝１９において係止片１７との係合によって、両側板５ａ，５ｂを取付可能としている。
【００１４】
次に台２は図５に示すように、前述の本体１の載置板１０及び台座１１、両側板１２ａ，１２ｂ、背板１３、引違戸１４ａ，１４ｂ、とからなっており、前述した本体１と同様、四角に配置した縦柱１５ａ，１５ｂ，１５ｃ，１５ｄの対応する側面において、両側板１２ａ，１２ｂと背板１３とを係合し、さらに正面側には引違戸１４ａ，１４ｂを配置し、前述のように組み上げた各部品１２ａ，１２ｂ，１３，１４ａ，１４ｂ，１５ａ，１５ｂ，１５ｃ，１５ｄの下側を、台座１１上面の嵌凹部Ｒ内に落とし込んで嵌挿すると共に、各部品１２ａ，１２ｂ，１３，１４ａ，１４ｂ，１５ａ，１５ｂ，１５ｃ，１５ｄの上側には、載置板１０下面の嵌凹部Ｓを嵌挿し、台２の組み立てが完成する。また前記引違戸１４ａ，１４ｂは、さらに載置板１０下面と台座１１上面とに各々レール溝２０，２１を設けていることで、前記各レール溝２０，２１に引違戸１４ａ，１４ｂの戸首と戸車（図示省略）とをそれぞれ差し入れることで、台２の正面側の開口において引違戸１４ａ，１４ｂの開け閉めを可能としている。また図６のように、前記引違戸１４ａ，１４ｂの代わりに観音扉２２，２２を設けることもできる。
尚、各部品１２ａ，１２ｂ，１３，１５ａ，１５ｂ，１５ｃ，１５ｄの取付箇所の説明については、前述した本体１の取付箇所と同一の構成であることから、ここでは省略した。
【図面の簡単な説明】
【００１５】
【図１】本考案の仏壇の一実施形態を示す斜視図である。
【図２】本考案の仏壇における、本体を構成する各部品を説明する斜視図である。
【図３】図１のＡ−Ａ線断面図である。
【図４】図３中Ｂを拡大して示す横断面図である。
【図５】本考案の仏壇における、台を構成する各部品を説明する斜視図である。
【図６】本考案の仏壇における、台の他の実施形態を示す斜視図である。
【符号の説明】
【００１６】
１  本体
２  台
３  天板
４  底板
５ａ，５ｂ，１２ａ，１２ｂ  両側板
６，１３  背板
７  折戸（開閉扉）
８  仏具台（仏具類）
９ａ，９ｂ，９ｃ，９ｄ，１５ａ，１５ｂ，１５ｃ，１５ｄ  縦柱
１０  載置板
１１  台座
１４ａ，１４ｂ  引違戸
１６  突起
１７  係止片（係止部材）
１８  爪
１９  縦溝（凹部）
２０，２１  レール溝
２２  観音扉（開閉扉）
Ｒ，Ｓ  嵌凹部（窪み）
【図１】
0003104658.tif 000003
【図２】
0003104658.tif 000004
【図３】
0003104658.tif 000005
【図４】
0003104658.tif 000006
【図５】
0003104658.tif 000007
【図６】
0003104658.tif 000008